(57)【要約】【課題】大きなサイズのデータであっても信頼度高く利用者に提供することができるデータ提供システムを提供すること。【解決手段】データ提供システムは、予定の経路の情報を通知する経路情報通知手段を有した端末装置と、道路の近傍に設置された複数の路設装置と、経路情報通知手段によって通知された予定の経路の情報に基づいて複数の路設装置の中から特定の路設装置を指定する装置指定手段、及び、装置指定手段によって指定された路設装置に向けて所定のデータを送信するデータ送信手段を有したデータ送信装置とを備え、路設装置４０は、データ送信手段によって送信された所定のデータを記憶するデータ記憶手段４５と、データ記憶手段４５によって記憶された所定のデータを端末装置に転送する通信手段４４とを有するようにする。【選択図】  図９
2004289267.tif 000002
【特許請求の範囲】
【請求項１】
予定の経路の情報を通知する経路情報通知手段を有した端末装置と、道路の近傍に設置された複数の路設装置と、前記経路情報通知手段によって通知された前記予定の経路の情報に基づいて前記複数の路設装置の中から特定の路設装置を指定する装置指定手段、及び、前記装置指定手段によって指定された前記路設装置に向けて所定のデータを送信するデータ送信手段を有したデータ送信装置とを備え、
前記路設装置は、前記データ送信手段によって送信された前記所定のデータを記憶するデータ記憶手段と、前記データ記憶手段によって記憶された前記所定のデータを前記端末装置に転送するデータ転送手段とを有したことを特徴とするデータ提供システム。
【請求項２】
予定の経路の情報を通知する経路情報通知手段を有した端末装置と、道路の近傍に設置された複数の路設装置と、前記経路情報通知手段によって通知された前記予定の経路の情報に基づいて前記複数の路設装置の中から特定の複数の路設装置を指定する装置指定手段、所定のデータを分割した分割データを生成する分割データ生成手段、及び、前記装置指定手段によって指定された前記複数の路設装置に向けて前記分割データを送信するデータ送信手段を有したデータ送信装置とを備え、
前記路設装置は、前記データ送信手段によって送信された前記分割データを前記端末装置に転送するデータ転送手段を有したことを特徴とするデータ提供システム。
【請求項３】
前記路設装置は、前記データ送信手段によって送信された前記分割データを記憶するデータ記憶手段を有し、
前記データ転送手段は、前記データ記憶手段によって記憶された前記分割データを前記端末装置に転送することによって、前記データ送信手段によって送信された前記分割データを前記端末装置に転送することを特徴とする請求項２に記載のデータ提供システム。
【請求項４】
受信したデータを端末装置に転送する道路の近傍に設置された複数の路設装置の中から前記端末装置によって通知された予定の経路の情報に基づいて特定の複数の路設装置を指定する装置指定手段と、所定のデータを分割した分割データを生成する分割データ生成手段と、前記装置指定手段によって指定された前記複数の路設装置に向けて前記分割データを送信するデータ送信手段とを有したことを特徴とするデータ送信装置。
【請求項５】
予定の経路の情報を端末装置が通知する経路情報通知ステップと、道路の近傍に設置された路設装置に向けてデータを送信するデータ送信装置が前記経路情報通知ステップによって通知された前記予定の経路の情報に基づいて複数の前記路設装置の中から特定の路設装置を指定する装置指定ステップと、前記装置指定ステップによって指定された前記路設装置に向けて前記データ送信装置が所定のデータを送信するデータ送信ステップと、前記データ送信ステップによって送信された前記所定のデータを前記路設装置が記憶するデータ記憶ステップと、前記データ記憶ステップによって記憶された前記所定のデータを前記路設装置が前記端末装置に転送するデータ転送ステップとを有したことを特徴とするデータ提供方法。
【請求項６】
予定の経路の情報を端末装置が通知する経路情報通知ステップと、道路の近傍に設置された路設装置に向けてデータを送信するデータ送信装置が前記経路情報通知ステップによって通知された前記予定の経路の情報に基づいて複数の前記路設装置の中から特定の複数の路設装置を指定する装置指定ステップと、所定のデータを分割した分割データを前記データ送信装置が生成する分割データ生成ステップと、前記装置指定ステップによって指定された前記複数の路設装置に向けて前記データ送信装置が前記分割データを送信するデータ送信ステップと、前記データ送信ステップによって送信された前記分割データを前記路設装置が前記端末装置に転送するデータ転送ステップとを有したことを特徴とするデータ提供方法。
【請求項７】
前記データ送信ステップによって送信された前記分割データを前記路設装置が記憶するデータ記憶ステップを有し、
前記データ転送ステップは、前記データ記憶ステップによって記憶された前記分割データを前記路設装置が前記端末装置に転送することによって、前記データ送信ステップによって送信された前記分割データを前記路設装置が前記端末装置に転送することを特徴とする請求項６に記載のデータ提供方法。
【請求項８】
受信したデータを端末装置に転送する道路の近傍に設置された複数の路設装置の中から前記端末装置によって通知された予定の経路の情報に基づいて特定の複数の路設装置を指定する装置指定機能と、所定のデータを分割した分割データを生成する分割データ生成機能と、前記装置指定機能によって指定された前記複数の路設装置に向けて前記分割データを送信するデータ送信機能とをコンピュータに実現させることを特徴とするプログラム。
【発明の詳細な説明】
【０００１】
【発明の属する技術分野】
本発明は、利用者にデータを提供するデータ提供システムに関する。
【０００２】
【従来の技術】
従来、利用者にデータを提供するデータ提供システムとして、図２４に示すＲＯＦ（Ｒａｄｉｏ  ｏｎ  Ｆｉｂｅｒ）路車間通信システム９００が知られている（例えば、特許文献１参照。）。
【０００３】
ＲＯＦ路車間通信システム９００は、車両に搭載されて車両の予定の経路の情報を通知する移動局９１０と、道路の近傍に設置された複数の局地基地局９２１、９２２、９２３及び９２４と、局地基地局９２１及び９２２を制御する制御局９３１と、局地基地局９２３及び９２４を制御する制御局９３２と、移動局９１０によってインターネット９０１を介して通知された車両の予定の経路の情報を登録する位置情報管理局９４０と、位置情報管理局９４０によって登録された車両の予定の経路の情報に基づいて制御局を指定し、指定した制御局にインターネット９０１を介して所定のデータを送信する情報サーバ９５０とを備えている。
【０００４】
また、制御局９３１は、インターネット９０１を介して情報サーバ９５０によって送信された所定のデータを記憶し、局地基地局９２１又は９２２に転送するようになっており、制御局９３２は、インターネット９０１を介して情報サーバ９５０によって送信された所定のデータを記憶し、局地基地局９２３又は９２４に転送するようになっている。
【０００５】
また、局地基地局９２１、９２２、９２３及び９２４は、制御局９３１又は９３２によって送信された所定のデータを移動局９１０に転送するようになっている。
【０００６】
例えば、情報サーバ９５０は、位置情報管理局９４０によって登録された車両の予定の経路の情報に基づいて制御局９３１を指定し、指定した制御局９３１に所定のデータを送信して記憶させる。
【０００７】
そして、移動局９１０が局地基地局９２１の通信圏内に入ったとき、制御局９３１によって記憶された所定のデータを局地基地局９２１が制御局９３１に要求し、制御局９３１に記憶された所定のデータは、局地基地局９２１によって移動局９１０に転送される。
【０００８】
【特許文献１】
特開２００１−９３０８４号公報（第６頁、第１図）
【０００９】
【発明が解決しようとする課題】
しかしながら、ＲＯＦ路車間通信システム９００においては、移動局９１０が所定のデータを受信するときに局地基地局９２１と制御局９３１との間で行われる通信に必要な時間に相当する量だけ、所定の時間内に移動局９１０が局地基地局９２１から受信することができるデータのサイズが抑制されるという問題が有った。
【００１０】
そこで、本発明は、大きなサイズのデータであっても信頼度高く利用者に提供することができるデータ提供システムを提供することを目的とする。
【００１１】
【課題を解決するための手段】
上述した課題を解決するために、本発明のデータ提供システムは、予定の経路の情報を通知する経路情報通知手段を有した端末装置と、道路の近傍に設置された複数の路設装置と、前記経路情報通知手段によって通知された前記予定の経路の情報に基づいて前記複数の路設装置の中から特定の路設装置を指定する装置指定手段、及び、前記装置指定手段によって指定された前記路設装置に向けて所定のデータを送信するデータ送信手段を有したデータ送信装置とを備え、前記路設装置は、前記データ送信手段によって送信された前記所定のデータを記憶するデータ記憶手段と、前記データ記憶手段によって記憶された前記所定のデータを前記端末装置に転送するデータ転送手段とを有した構成を有している。
【００１２】
この構成により、本発明のデータ提供システムは、端末装置に送信されるデータを路設装置が記憶するので、所定の時間内に端末装置が路設装置から受信することができるデータのサイズを従来と比較して増加させることができ、大きなサイズのデータであっても信頼度高く利用者に提供することができる。
【００１３】
また、本発明のデータ提供システムは、予定の経路の情報を通知する経路情報通知手段を有した端末装置と、道路の近傍に設置された複数の路設装置と、前記経路情報通知手段によって通知された前記予定の経路の情報に基づいて前記複数の路設装置の中から特定の複数の路設装置を指定する装置指定手段、所定のデータを分割した分割データを生成する分割データ生成手段、及び、前記装置指定手段によって指定された前記複数の路設装置に向けて前記分割データを送信するデータ送信手段を有したデータ送信装置とを備え、前記路設装置は、前記データ送信手段によって送信された前記分割データを前記端末装置に転送するデータ転送手段を有した構成を有している。
【００１４】
この構成により、本発明のデータ提供システムは、データをデータ送信装置が複数に分割して複数の路設装置に向けて送信することにより、端末装置が移動して、１つの路設装置の通信エリアで受信が終了できないような大きなデータに対しても、複数の路設装置から分割されたデータを受信できるので、大きなサイズのデータであっても信頼度高く利用者に提供することができる。
【００１５】
また、本発明のデータ提供システムは、前記路設装置は、前記データ送信手段によって送信された前記分割データを記憶するデータ記憶手段を有し、前記データ転送手段は、前記データ記憶手段によって記憶された前記分割データを前記端末装置に転送することによって、前記データ送信手段によって送信された前記分割データを前記端末装置に転送する構成を有している。
【００１６】
この構成により、本発明のデータ提供システムは、端末装置に送信される分割データを路設装置が記憶するので、所定の時間内に端末装置が路設装置から受信することができる分割データのサイズを、路設装置が分割データを予め記憶しておかない場合と比較して増加させることができ、路設装置が分割データを予め記憶しておかない場合と比較して大きなサイズのデータを利用者に提供することができる。
【００１７】
また、本発明のデータ送信装置は、受信したデータを端末装置に転送する道路の近傍に設置された複数の路設装置の中から前記端末装置によって通知された予定の経路の情報に基づいて特定の複数の路設装置を指定する装置指定手段と、所定のデータを分割した分割データを生成する分割データ生成手段と、前記装置指定手段によって指定された前記複数の路設装置に向けて前記分割データを送信するデータ送信手段とを有した構成を有している。
【００１８】
この構成により、本発明のデータ送信装置は、データを複数に分割して複数の路設装置に向けて送信することにより、予定の経路上にある路設装置から順次分割されたデータを端末装置に受信させることができるので、大きなサイズのデータであっても信頼度高く利用者に提供することができる。
【００１９】
また、本発明のデータ提供方法は、予定の経路の情報を端末装置が通知する経路情報通知ステップと、道路の近傍に設置された路設装置に向けてデータを送信するデータ送信装置が前記経路情報通知ステップによって通知された前記予定の経路の情報に基づいて複数の前記路設装置の中から特定の路設装置を指定する装置指定ステップと、前記装置指定ステップによって指定された前記路設装置に向けて前記データ送信装置が所定のデータを送信するデータ送信ステップと、前記データ送信ステップによって送信された前記所定のデータを前記路設装置が記憶するデータ記憶ステップと、前記データ記憶ステップによって記憶された前記所定のデータを前記路設装置が前記端末装置に転送するデータ転送ステップとを有した構成を有している。
【００２０】
この構成により、本発明のデータ提供方法は、端末装置に送信されるデータを路設装置が記憶するので、所定の時間内に端末装置が路設装置から受信することができるデータのサイズを従来と比較して増加させることができ、大きなサイズのデータであっても信頼度高く利用者に提供することができる。
【００２１】
また、本発明のデータ提供方法は、予定の経路の情報を端末装置が通知する経路情報通知ステップと、道路の近傍に設置された路設装置に向けてデータを送信するデータ送信装置が前記経路情報通知ステップによって通知された前記予定の経路の情報に基づいて複数の前記路設装置の中から特定の複数の路設装置を指定する装置指定ステップと、所定のデータを分割した分割データを前記データ送信装置が生成する分割データ生成ステップと、前記装置指定ステップによって指定された前記複数の路設装置に向けて前記データ送信装置が前記分割データを送信するデータ送信ステップと、前記データ送信ステップによって送信された前記分割データを前記路設装置が前記端末装置に転送するデータ転送ステップとを有した構成を有している。
【００２２】
この構成により、本発明のデータ提供方法は、データをデータ送信装置が複数に分割して複数の路設装置に向けて送信することにより、端末装置が移動して、１つの路設装置の通信エリアで受信が終了できないような大きなデータに対しても、複数の路設装置から分割されたデータを受信できるので、大きなサイズのデータであっても信頼度高く利用者に提供することができる。
【００２３】
また、本発明のデータ提供方法は、前記データ送信ステップによって送信された前記分割データを前記路設装置が記憶するデータ記憶ステップを有し、前記データ転送ステップは、前記データ記憶ステップによって記憶された前記分割データを前記路設装置が前記端末装置に転送することによって、前記データ送信ステップによって送信された前記分割データを前記路設装置が前記端末装置に転送する構成を有している。
【００２４】
この構成により、本発明のデータ提供方法は、端末装置に送信される分割データを路設装置が記憶するので、所定の時間内に端末装置が路設装置から受信することができる分割データのサイズを、路設装置が分割データを予め記憶しておかない場合と比較して増加させることができ、路設装置が分割データを予め記憶しておかない場合と比較して大きなサイズのデータを利用者に提供することができる。
【００２５】
また、本発明のプログラムは、受信したデータを端末装置に転送する道路の近傍に設置された複数の路設装置の中から前記端末装置によって通知された予定の経路の情報に基づいて特定の複数の路設装置を指定する装置指定機能と、所定のデータを分割した分割データを生成する分割データ生成機能と、前記装置指定機能によって指定された前記複数の路設装置に向けて前記分割データを送信するデータ送信機能とをコンピュータに実現させる構成を有している。
【００２６】
この構成により、本発明のプログラムによって機能を実現するコンピュータは、データを複数に分割して複数の路設装置に向けて送信することにより、予定の経路上にある路設装置から順次分割されたデータを端末装置に受信させることができるので、大きなサイズのデータであっても信頼度高く利用者に提供することができる。
【００２７】
【発明の実施の形態】
以下、本発明の実施の形態について、図面を用いて説明する。
【００２８】
（第１の実施の形態）
【００２９】
まず、本発明の第１の形態に係るデータ提供システムの構成について説明する。
【００３０】
図１に示すように、本実施の形態に係るデータ提供システム１０は、車両１１に搭載された端末装置２０と、道路１２の近傍に設置された複数の路設装置４０、５１、５２、５３、５４、５５及び５６と、音楽データ、映像データ及び交通情報データ等のデジタルデータである所定のデータを記憶する複数のデータ記憶装置６０、７１及び７２と、インターネット１３を介して端末装置２０と通信を行うアプリケーションサーバ８０と、路設装置４０、５１、５２、５３、５４、５５及び５６の中の特定の路設装置にインターネット１３を介してデータを送信するデータ送信装置９０とを備えている。
【００３１】
なお、データ記憶装置６０、７１及び７２と、アプリケーションサーバ８０と、データ送信装置９０とは、公衆回線や専用回線によって形成されたネットワーク１４を介して互いに接続されている。
【００３２】
また、図２及び図３に示すように、端末装置２０は、ＣＰＵ（ＣｅｎｔｒａｌＰｒｏｃｅｓｓｉｎｇ  Ｕｎｉｔ）２１と、ＣＰＵ２１によって実行されるプログラムを記憶したＲＯＭ（Ｒｅａｄ  Ｏｎｌｙ  Ｍｅｍｏｒｙ）２２と、ＲＯＭ２２によって記憶されたプログラムをＣＰＵ２１が実行する際に生じるデータを記憶するＲＡＭ（Ｒａｎｄｏｍ  Ａｃｃｅｓｓ  Ｍｅｍｏｒｙ）２３と、路設装置４０、５１、５２、５３、５４、５５及び５６（図１参照）と無線で通信を行うとともに路設装置４０、５１、５２、５３、５４、５５及び５６を介さずに無線でインターネット１３（図１参照）を介してアプリケーションサーバ８０（図１参照）と通信を行う通信手段２４と、情報を表示する表示手段２５とを有している。
【００３３】
ここで、表示手段２５は、利用者によって操作されるタッチパネル２５ａ及びボタン２５ｂと、固有の識別番号を記憶したＩＣカード１５が挿入されるカード挿入部２５ｃとを有している。
【００３４】
また、端末装置２０は、受信したデータを記憶する第１記憶手段２６と、道路データや施設データ等の地図データを記憶した第２記憶手段２７と、現在位置を検出する現在位置検出手段２８と、現在位置検出手段２８によって検出された現在位置から目的地までの経路を探索する経路探索手段２９と、現在位置から目的地までの車両１１（図１参照）の予定の経路の情報である経路情報を経路探索手段２９による探索結果に基づいて作成する経路情報作成手段３０と、カード挿入部２５ｃに挿入されたＩＣカード１５に記憶された固有の識別番号を読み取るカード読取手段３１とを有している。
【００３５】
なお、端末装置２０は、第１記憶手段２６及び第２記憶手段２７をＲＡＭ２３によって代替するようになっていても良い。
【００３６】
また、端末装置２０は、利用者によって目的地が指定されることによって、現在位置検出手段２８によって検出された現在位置から利用者によって指定された目的地までの車両１１の予定の経路を経路探索手段２９によって探索するようになっている。
【００３７】
ここで、端末装置２０は、タッチパネル２５ａやボタン２５ｂによって目的地の住所、電話番号又は郵便番号を利用者に指定させることによって、利用者に目的地を指定させるようになっている。なお、端末装置２０は、第２記憶手段２７によって記憶した地図データに基づいて表示手段２５に地図を表示させ、表示手段２５に表示させた地図上でタッチパネル２５ａやボタン２５ｂによって目的地を利用者に指定させるようになっていても良い。
【００３８】
また、経路探索手段２９は、一般道路、有料道路、及び、タッチパネル２５ａやボタン２５ｂによって利用者に指定させた道路の中から、他の道路より優先して通過することを利用者が希望する道路をタッチパネル２５ａやボタン２５ｂによって利用者に選択させ、利用者に選択させた道路を他の道路より優先して通過するように経路を探索するようになっている。
【００３９】
また、端末装置２０は、タッチパネル２５ａやボタン２５ｂへの利用者による操作に応じて、データの特定に使用される情報である特定用情報を、通信手段２４によってインターネット１３を介してアプリケーションサーバ８０に無線で要求するようになっている。
【００４０】
ここで、特定用情報には、図４に示すように、データを提供する会社である提供会社の識別情報と、データが更新された日付である更新日付の情報と、端末装置２０の利用者にデータを指定させるための利用者用情報と、データの識別情報とが含まれている。また、利用者用情報には、例えば、音楽、映像及び交通等のデータのジャンルや、ジャンルが音楽であるデータであれば曲名及び歌手名等、端末装置２０の利用者にデータを指定させるための情報が含まれている。
【００４１】
また、端末装置２０は、アプリケーションサーバ８０によって特定用情報が送信されると、アプリケーションサーバ８０によって送信された特定用情報をインターネット１３を介して通信手段２４によって無線で受信し、受信した特定用情報に基づいて、利用者が提供を受けることができるデータの一覧を表示手段２５によって表示するようになっている。
【００４２】
また、端末装置２０は、表示手段２５によって表示されたデータの一覧から、利用者が提供されることを希望するデータである提供希望データをタッチパネル２５ａやボタン２５ｂによって利用者に指定させるようになっている。
【００４３】
また、端末装置２０は、利用者によって提供希望データが指定されると、経路探索手段２９によって探索された経路に基づいて経路情報作成手段３０によって経路情報を作成するようになっている。
【００４４】
ここで、交差点等の分岐点をノードとし、分岐点同士を結ぶ道路を固有の識別番号が付与されたリンクとすると、経路情報作成手段３０は、経路探索手段２９によって探索された経路に基づいて、現在位置から目的地までの車両１１の予定の進行順に経路上のリンクの識別番号を並べることによって、経路情報を作成するようになっている。例えば、図５（ａ）に示すように、ノード１０１、１０２、１０３及び１０４と、リンク１１１、１１２、１１３、１１４、１１５、１１６、１１７、１１８及び１１９とが定義されており、リンク１１１〜１１９に図５（ｂ）に示すような固有の識別番号が付与されているとき、車両１１がリンク１１１、１１３、１１５及び１１６の順に進行することが予定されている場合、経路情報作成手段３０は、図６に示すような経路情報を作成するようになっている。
【００４５】
また、端末装置２０は、経路情報作成手段３０によって経路情報を作成すると、アプリケーションサーバ８０がデータ記憶装置６０、７１又は７２に提供希望データを要求するための図７（ａ）に示すようなサーバ要求用情報を特定用情報に基づいて作成し、作成したサーバ要求用情報と、経路情報作成手段３０によって作成された経路情報と、車両１１の固有の識別番号、及び、カード読取手段３１によって読み取られたＩＣカード１５の固有の識別番号を含む図７（ｂ）に示すような車両情報とを、通信手段２４によってインターネット１３を介してアプリケーションサーバ８０に無線で送信するようになっている。
【００４６】
即ち、通信手段２４は、インターネット１３を介してアプリケーションサーバ８０に経路情報を通知する経路情報通知手段を構成している。
【００４７】
また、端末装置２０は、図８に示すように、路設装置４０の通信圏内に入ると、車両情報を通信手段２４（図２参照）によって無線で路設装置４０に送信するようになっている。
【００４８】
また、端末装置２０は、路設装置４０によって提供希望データが送信されると、路設装置４０によって送信された提供希望データを通信手段２４によって無線で受信し、受信した提供希望データを第１記憶手段２６によって記憶するようになっている。
【００４９】
なお、端末装置２０は、路設装置４０との間で行う動作と同様な動作を路設装置５１、５２、５３、５４、５５又は５６との間でも行うようになっている。
【００５０】
また、図９に示すように、路設装置４０は、ＣＰＵ４１と、ＣＰＵ４１によって実行されるプログラムを記憶したＲＯＭ４２と、ＲＯＭ４２によって記憶されたプログラムをＣＰＵ４１が実行する際に生じるデータを記憶するＲＡＭ４３と、端末装置２０（図１参照）と無線で通信を行うとともにインターネット１３（図１参照）を介してデータ送信装置９０（図１参照）と通信を行う通信手段４４と、データ送信装置９０によって送信されたデータを記憶するデータ記憶手段４５と、端末装置２０の認証を行う認証手段４６とを有している。
【００５１】
なお、路設装置４０は、データ記憶手段４５をＲＡＭ４３によって代替するようになっていても良い。
【００５２】
また、路設装置４０は、データ送信装置９０によって提供希望データ及び車両情報が送信されると、データ送信装置９０によって送信された提供希望データ及び車両情報を通信手段４４によってインターネット１３を介して受信し、受信した提供希望データ及び車両情報を互いに対応付けてデータ記憶手段４５によって記憶するようになっている。
【００５３】
また、路設装置４０は、端末装置２０によって車両情報が送信されると、端末装置２０によって送信された車両情報を通信手段４４によって無線で受信し、受信した車両情報と、データ記憶手段４５によって記憶された車両情報とに基づいて認証手段４６によって端末装置２０の認証を試みるようになっている。
【００５４】
また、路設装置４０は、認証手段４６によって端末装置２０が認証されたとき、端末装置２０の認証に使用された車両情報に対応付けられてデータ記憶手段４５によって記憶された提供希望データを通信手段４４によって無線で端末装置２０に送信するようになっている。
【００５５】
即ち、通信手段４４は、データ記憶手段４５によって記憶されたデータを端末装置２０に転送するデータ転送手段を構成している。
【００５６】
なお、路設装置５１、５２、５３、５４、５５及び５６の構成は、路設装置４０の構成と同様であるので、路設装置５１、５２、５３、５４、５５及び５６の構成についての説明は省略する。
【００５７】
また、図１０に示すように、データ記憶装置６０は、ＣＰＵ６１と、ＣＰＵ６１によって実行されるプログラムを記憶したＲＯＭ６２と、ＲＯＭ６２によって記憶されたプログラムをＣＰＵ６１が実行する際に生じるデータを記憶するＲＡＭ６３と、ネットワーク１４（図１参照）を介してアプリケーションサーバ８０（図１参照）と通信を行う通信手段６４と、データを記憶する記憶手段６５とを有している。
【００５８】
なお、データ記憶装置６０は、記憶手段６５をＲＡＭ６３によって代替するようになっていても良い。
【００５９】
また、データ記憶装置６０は、記憶手段６５によって記憶されたデータのうち端末装置２０の利用者に提供することができるデータの特定用情報を、ネットワーク１４を介して通信手段６４によってアプリケーションサーバ８０に送信するようになっている。
【００６０】
また、データ記憶装置６０は、アプリケーションサーバ８０によって提供希望データが要求されると、記憶手段６５によって記憶されたデータからアプリケーションサーバ８０によって要求された提供希望データを抽出し、抽出した提供希望データをネットワーク１４を介して通信手段６４によってアプリケーションサーバ８０に送信するようになっている。
【００６１】
なお、データ記憶装置７１及び７２の構成は、データ記憶装置６０の構成と同様であるので、データ記憶装置７１及び７２の構成についての説明は省略する。
【００６２】
また、図１１に示すように、アプリケーションサーバ８０は、ＣＰＵ８１と、ＣＰＵ８１によって実行されるプログラムを記憶したＲＯＭ８２と、ＲＯＭ８２によって記憶されたプログラムをＣＰＵ８１が実行する際に生じるデータを記憶するＲＡＭ８３と、端末装置２０（図１参照）とインターネット１３（図１参照）を介して通信を行うとともにデータ記憶装置６０、７１、７２（図１参照）及びデータ送信装置９０（図１参照）とネットワーク１４（図１参照）を介して通信を行う通信手段８４と、特定用情報や提供希望データを記憶する記憶手段８５とを有している。
【００６３】
なお、アプリケーションサーバ８０は、記憶手段８５をＲＡＭ８３によって代替するようになっていても良い。
【００６４】
ここで、アプリケーションサーバ８０は、データ記憶装置６０、７１又は７２によって特定用情報が送信されると、データ記憶装置６０、７１又は７２によって送信された特定用情報をネットワーク１４を介して通信手段８４によって受信し、受信した特定用情報を記憶手段８５によって記憶するようになっている。
【００６５】
また、アプリケーションサーバ８０は、端末装置２０によって特定用情報が要求されると、記憶手段８５によって記憶された特定用情報を通信手段８４によってインターネット１３を介して端末装置２０に送信するようになっている。
【００６６】
また、アプリケーションサーバ８０は、端末装置２０によってサーバ要求用情報、経路情報及び車両情報が送信されると、端末装置２０によって送信されたサーバ要求用情報、経路情報及び車両情報をインターネット１３を介して通信手段８４によって受信し、受信したサーバ要求用情報に含まれる提供会社の識別情報に基づいて、提供希望データを記憶したデータ記憶装置をデータ記憶装置６０、７１及び７２の中から特定し、特定したデータ記憶装置にサーバ要求用情報に基づいて提供希望データを要求するようになっている。
【００６７】
また、アプリケーションサーバ８０は、データ記憶装置６０によって提供希望データが送信されると、データ記憶装置６０によって送信された提供希望データをネットワーク１４を介して通信手段８４によって受信し、受信した提供希望データと、端末装置２０によって送信された経路情報及び車両情報とをネットワーク１４を介して通信手段８４によってデータ送信装置９０に送信するようになっている。
【００６８】
なお、アプリケーションサーバ８０は、データ記憶装置６０との間で行う動作と同様な動作をデータ記憶装置７１又は７２との間でも行うようになっている。
【００６９】
また、図１２に示すように、データ送信装置９０は、ＣＰＵ９１と、ＣＰＵ９１によって実行されるプログラムを記憶したＲＯＭ９２と、ＲＯＭ９２によって記憶されたプログラムをＣＰＵ９１が実行する際に生じるデータを記憶するＲＡＭ９３と、路設装置４０、５１、５２、５３、５４、５５及び５６（図１参照）とインターネット１３（図１参照）を介して通信を行うとともにアプリケーションサーバ８０（図１参照）とネットワーク１４（図１参照）を介して通信を行う通信手段９４と、地図データを記憶した記憶手段９５と、路設装置４０、５１、５２、５３、５４、５５及び５６の中から１つの路設装置を指定する装置指定手段９６とを有している。
【００７０】
なお、データ送信装置９０は、記憶手段９５をＲＡＭ９３によって代替するようになっていても良い。
【００７１】
ここで、データ送信装置９０は、アプリケーションサーバ８０によって提供希望データ、経路情報及び車両情報が送信されると、アプリケーションサーバ８０によって送信された提供希望データ、経路情報及び車両情報をネットワーク１４を介して通信手段９４によって受信し、受信した経路情報と、記憶手段９５によって記憶された地図データとに基づいて、車両１１の予定の経路上の路設装置の中から車両１１が最初に近傍を通過する路設装置を装置指定手段９６によって指定するようになっている。
【００７２】
なお、通信手段９４によって受信した経路情報は、端末装置２０の通信手段２４によってインターネット１３を介してアプリケーションサーバ８０に通知された情報である。即ち、装置指定手段９６は、端末装置２０の通信手段２４によって通知された経路情報に基づいて複数の路設装置の中から特定の１つの路設装置を指定するようになっている。
【００７３】
また、データ送信装置９０は、アプリケーションサーバ８０によって送信された提供希望データ及び車両情報を、装置指定手段９６によって指定された路設装置に通信手段９４によってインターネット１３を介して送信するようになっている。
【００７４】
即ち、通信手段９４は、装置指定手段９６によって指定された路設装置に所定のデータを送信するデータ送信手段を構成している。
【００７５】
次に、本実施の形態に係るデータ提供システムの動作について説明する。
【００７６】
図１３に示すように、データ記憶装置６０は、記憶手段６５によって記憶されたデータのうち端末装置２０の利用者に提供することができるデータの特定用情報を、ネットワーク１４を介して通信手段６４によってアプリケーションサーバ８０に送信する（ステップＳ１２１）。同様に、データ記憶装置７１及び７２もネットワーク１４を介して特定用情報をアプリケーションサーバ８０に送信する。
【００７７】
データ記憶装置６０、７１又は７２によってアプリケーションサーバ８０に送信された特定用情報は、アプリケーションサーバ８０の通信手段８４によってネットワーク１４を介して受信され、記憶手段８５によって記憶される。
【００７８】
そして、端末装置２０は、タッチパネル２５ａやボタン２５ｂへの利用者による操作に応じて、アプリケーションサーバ８０の記憶手段８５によって記憶された特定用情報を、通信手段２４によってインターネット１３を介してアプリケーションサーバ８０に無線で要求する（ステップＳ１２２）。
【００７９】
端末装置２０によってアプリケーションサーバ８０に特定用情報が要求されると、アプリケーションサーバ８０は、記憶手段８５によって記憶された特定用情報を通信手段８４によってインターネット１３を介して端末装置２０に送信する（ステップＳ１２３）。
【００８０】
アプリケーションサーバ８０によって端末装置２０に送信された特定用情報は、端末装置２０の通信手段２４によってインターネット１３を介して無線で受信される。そして、端末装置２０は、通信手段２４によって受信した特定用情報に基づいて、利用者が提供されることができるデータの一覧を表示手段２５によって表示する。例えば、端末装置２０は、タッチパネル２５ａやボタン２５ｂの矢印ボタンが利用者に操作されることによって、データのジャンルとして、音楽、映像、交通及び全件のうち音楽が選択されると、音楽のジャンルに属するデータの曲名及び歌手名の一覧を図３に示すように表示手段２５によって表示する。
【００８１】
次いで、端末装置２０は、表示手段２５によって表示されたデータの一覧からタッチパネル２５ａやボタン２５ｂによって利用者に提供希望データを指定させる。例えば、図３に示すように、端末装置２０は、表示手段２５によって表示されたデータの曲名及び歌手名の一覧から利用者が提供されることを希望するデータをタッチパネル２５ａやボタン２５ｂの矢印ボタンによって利用者に選択させ、ボタン２５ｂの決定ボタンによって利用者に指定させる。
【００８２】
利用者によって提供希望データが指定されると、端末装置２０は、経路探索手段２９によって探索された経路に基づいて、経路情報作成手段３０によって図６に示すような経路情報を作成する。
【００８３】
経路情報作成手段３０によって経路情報を作成すると、端末装置２０は、図７（ａ）に示すようなサーバ要求用情報を特定用情報に基づいて作成し、作成したサーバ要求用情報と、経路情報作成手段３０によって作成された経路情報と、図７（ｂ）に示すような車両情報とを通信手段２４によってインターネット１３を介してアプリケーションサーバ８０に無線で送信する（ステップＳ１２４（経路情報通知ステップ））。
【００８４】
端末装置２０によってアプリケーションサーバ８０に送信されたサーバ要求用情報、経路情報及び車両情報は、アプリケーションサーバ８０の通信手段８４によってインターネット１３を介して受信される。そして、アプリケーションサーバ８０は、通信手段８４によって受信したサーバ要求用情報に含まれる提供会社の識別情報に基づいて、提供希望データを記憶したデータ記憶装置をデータ記憶装置６０、７１及び７２の中から特定し、特定したデータ記憶装置にサーバ要求用情報に基づいて提供希望データを要求する（ステップＳ１２５）。
【００８５】
アプリケーションサーバ８０によってデータ記憶装置６０に提供希望データが要求されると、データ記憶装置６０は、記憶手段６５によって記憶されたデータからアプリケーションサーバ８０によって要求された提供希望データを抽出し、抽出した提供希望データをネットワーク１４を介して通信手段６４によってアプリケーションサーバ８０に送信する（ステップＳ１２６）。同様に、データ記憶装置７１及び７２も、アプリケーションサーバ８０によって提供希望データが要求されると、アプリケーションサーバ８０によって要求された提供希望データをネットワーク１４を介してアプリケーションサーバ８０に送信する。
【００８６】
データ記憶装置６０、７１又は７２によってアプリケーションサーバ８０に送信された提供希望データは、アプリケーションサーバ８０の通信手段８４によってネットワーク１４を介して受信される。そして、アプリケーションサーバ８０は、通信手段８４によって受信した提供希望データと、端末装置２０によって送信された経路情報及び車両情報とをネットワーク１４を介して通信手段８４によってデータ送信装置９０に送信する（ステップＳ１２７）。
【００８７】
アプリケーションサーバ８０によってデータ送信装置９０に送信された提供希望データ、経路情報及び車両情報は、データ送信装置９０の通信手段９４によってネットワーク１４を介して受信される。そして、データ送信装置９０は、通信手段９４によって受信した経路情報と、記憶手段９５によって記憶された地図データとに基づいて、車両１１の予定の経路上の路設装置の中から車両１１が最初に近傍を通過する路設装置４０を装置指定手段９６によって指定する（装置指定ステップ）。
【００８８】
次いで、データ送信装置９０は、アプリケーションサーバ８０によって送信された提供希望データ及び車両情報を、装置指定手段９６によって指定された路設装置４０に通信手段９４によってインターネット１３を介して送信する（ステップＳ１２８（データ送信ステップ））。
【００８９】
データ送信装置９０によって路設装置４０に送信された提供希望データ及び車両情報は、路設装置４０の通信手段４４によってインターネット１３を介して受信され、データ記憶手段４５によって互いに対応付けられて記憶される（データ記憶ステップ）。
【００９０】
そして、図８に示すように、車両１１に搭載された端末装置２０が路設装置４０の通信圏内に入ると、端末装置２０は、車両情報を通信手段２４によって路設装置４０に無線で送信する（ステップＳ１２９）。
【００９１】
端末装置２０によって路設装置４０に送信された車両情報は、路設装置４０の通信手段４４によって無線で受信される。そして、路設装置４０は、通信手段４４によって受信した車両情報と、データ記憶手段４５によって記憶された車両情報とに基づいて認証手段４６によって端末装置２０の認証を試みる。
【００９２】
認証手段４６によって端末装置２０が認証されると、路設装置４０は、端末装置２０の認証に使用された車両情報に対応付けられてデータ記憶手段４５によって記憶された提供希望データを通信手段４４によって無線で端末装置２０に送信する（ステップＳ１３０（データ転送ステップ））。
【００９３】
路設装置４０によって端末装置２０に送信された提供希望データは、端末装置２０の通信手段２４によって無線で受信され、端末装置２０の第１記憶手段２６によって記憶される。
【００９４】
以上に説明したように、データ提供システム１０は、端末装置２０に送信される提供希望データを路設装置４０が記憶するので、所定の時間内に端末装置２０が路設装置４０から受信することができる提供希望データのサイズを従来と比較して増加させることができ、大きなサイズの提供希望データであっても信頼度高く利用者に提供することができる。
【００９５】
なお、端末装置２０は、本実施の形態において、音楽データ、映像データ及び交通情報データを路設装置４０を介して指定装置から受信するようになっているが、音楽データ、映像データ及び交通情報データ以外のデータを路設装置４０を介して指定装置から受信するようになっていても良い。例えば、端末装置２０は、映画データ、画像データ、地図データ、アプリケーションデータ、バージョンアップデータ、ゲームデータ、教育データ、教材データ、書籍データ及びテキストデータを路設装置４０を介して指定装置から受信するようになっていても良い。
【００９６】
また、データ提供システム１０は、本実施の形態において、３つのデータ記憶装置６０、７１及び７２を備えているが、３つ以外の数のデータ記憶装置を備えていても良い。
【００９７】
また、データ提供システム１０は、本実施の形態において、データ記憶装置６０、７１、７２、アプリケーションサーバ８０及びデータ送信装置９０を別々の装置として備えているが、同一の装置として備えていても良い。
【００９８】
また、データ提供システム１０は、本実施の形態において、７つの路設装置４０、５１、５２、５３、５４、５５及び５６を備えているが、７つ以外の数の路設装置を備えていても良い。
【００９９】
また、データ送信装置９０の装置指定手段９６は、本実施の形態において、車両１１の予定の経路上の路設装置の中から車両１１が最初に近傍を通過する路設装置を指定するようになっているが、車両１１が最初に近傍を通過する路設装置以外の１つの路設装置を車両１１の予定の経路上の路設装置の中から指定するようになっていても良い。
【０１００】
また、データ提供システム１０は、各種データを暗号化して扱うようになっていても良い。
【０１０１】
また、端末装置２０及びデータ送信装置９０は、本実施の形態において、第２記憶手段２７及び記憶手段９５によって予め地図データを記憶しておくようになっているが、外部から地図データを入力するようになっていても良い。
【０１０２】
また、端末装置２０は、本実施の形態において、経路情報作成手段３０によって経路情報を作成するようになっているが、外部から経路情報を入力するようになっていても良い。
【０１０３】
また、端末装置２０は、本実施の形態において、路設装置４０、５１、５２、５３、５４、５５及び５６を介さずに無線でインターネット１３を介してアプリケーションサーバ８０と通信を行うようになっているが、無線で路設装置４０、５１、５２、５３、５４、５５又は５６と、インターネット１３とを介してアプリケーションサーバ８０と通信を行うようになっていても良い。
【０１０４】
また、アプリケーションサーバ８０は、本実施の形態において、インターネット１３を介して端末装置２０に特定用情報を送信するようになっているが、図１４に示すように、放送衛星１６を介するデジタル放送や、電波塔１７を介するＦＭ多重放送等の放送によって端末装置２０に特定用情報を送信するようになっていても良い。
【０１０５】
また、端末装置２０は、本実施の形態において、車両１１に搭載されているが、車両１１以外の移動体に運搬されるようになっていても良い。例えば、端末装置２０は、人間に携帯されるようになっていても良い。
【０１０６】
（第２の実施の形態）
【０１０７】
まず、本発明の第２の形態に係るデータ提供システムの構成について説明する。
【０１０８】
なお、本実施の形態に係るデータ提供システムの構成のうち第１の実施の形態に係るデータ提供システムの構成と同様である構成については、第１の実施の形態に係るデータ提供システムの構成と同一の符号を付して詳細な説明を省略する。
【０１０９】
図１５に示すように、本実施の形態に係るデータ提供システム２１０の構成は、第１の実施の形態に係るデータ提供システム１０（図１参照）がデータ送信装置９０（図１参照）に代えてデータ送信装置２９０を備えた構成と同様である。
【０１１０】
また、図１６に示すように、データ送信装置２９０の構成は、通信手段２９４と、路設装置４０、５１、５２、５３、５４、５５及び５６（図１５参照）の中から複数の路設装置を指定する装置指定手段２９６と、アプリケーションサーバ８０（図１５参照）によって送信された提供希望データを分割した複数の分割データを生成する分割データ生成手段２９７とを、通信手段９４（図１２参照）及び装置指定手段９６（図１２参照）に代えてデータ送信装置９０（図１２参照）が有した構成と同様である。
【０１１１】
ここで、データ送信装置２９０は、アプリケーションサーバ８０によって提供希望データ、経路情報及び車両情報が送信されると、アプリケーションサーバ８０によって送信された提供希望データ、経路情報及び車両情報をネットワーク１４（図１５参照）を介して通信手段２９４によって受信し、受信した経路情報と、記憶手段９５によって記憶された地図データとに基づいて、車両１１（図１５参照）の予定の経路上の路設装置の中から車両１１が近傍を通過する複数の路設装置を装置指定手段２９６によって指定するようになっている。
【０１１２】
なお、通信手段２９４によって受信した経路情報は、端末装置２０（図１５参照）によってインターネット１３（図１５参照）を介してアプリケーションサーバ８０に通知された情報である。即ち、装置指定手段２９６は、端末装置２０によって通知された経路情報に基づいて複数の路設装置の中から特定の複数の路設装置を指定するようになっている。
【０１１３】
また、データ送信装置２９０は、分割データ生成手段２９７によって生成された分割データ及び車両情報を、装置指定手段２９６によって指定された複数の路設装置に向けて通信手段２９４によってインターネット１３を介して送信するようになっている。
【０１１４】
次に、本実施の形態に係るデータ提供システムの動作について説明する。
【０１１５】
図１７に示すように、データ提供システム２１０は、第１の実施の形態に係るデータ提供システム１０（図１参照）のステップＳ１２１〜ステップＳ１２７（図１３参照）の動作と同様の動作を行う（ステップＳ３２１〜ステップＳ３２７）。
【０１１６】
アプリケーションサーバ８０によってデータ送信装置２９０に送信された提供希望データ、経路情報及び車両情報は、データ送信装置２９０の通信手段２９４によってネットワーク１４を介して受信される。そして、データ送信装置２９０は、通信手段２９４によって受信した経路情報と、記憶手段９５によって記憶された地図データとに基づいて、車両１１の予定の経路上の路設装置の中から車両１１が近傍を通過する複数の路設装置４０、５２及び５４を装置指定手段２９６によって指定する（装置指定ステップ）。
【０１１７】
次いで、データ送信装置２９０は、図１８に示すように、アプリケーションサーバ８０によって送信された提供希望データを分割データ生成手段２９７によって分割して３つの分割データ３５１、３５２及び３５３を生成する（分割データ生成ステップ）。
【０１１８】
次いで、データ送信装置２９０は、図１７に示すように、分割データ生成手段２９７によって生成された分割データ３５１及び車両情報を、装置指定手段２９６によって指定された路設装置４０に通信手段２９４によってインターネット１３を介して送信し（ステップＳ３２８（データ送信ステップ））、分割データ生成手段２９７によって生成された分割データ３５２及び車両情報を、装置指定手段２９６によって指定された路設装置５２に通信手段２９４によってインターネット１３を介して送信し（ステップＳ３２９（データ送信ステップ））、分割データ生成手段２９７によって生成された分割データ３５３及び車両情報を、装置指定手段２９６によって指定された路設装置５４に通信手段２９４によってインターネット１３を介して送信する（ステップＳ３３０（データ送信ステップ））。
【０１１９】
データ送信装置２９０によって路設装置４０に送信された分割データ３５１及び車両情報は、路設装置４０の通信手段４４によってインターネット１３を介して受信され、データ記憶手段４５によって互いに対応付けられて記憶される（データ記憶ステップ）。同様に、データ送信装置２９０によって路設装置５２に送信された分割データ３５２及び車両情報は、路設装置５２に受信されて互いに対応付けられて記憶され（データ記憶ステップ）、データ送信装置２９０によって路設装置５４に送信された分割データ３５３及び車両情報は、路設装置５４に受信されて互いに対応付けられて記憶される（データ記憶ステップ）。
【０１２０】
そして、車両１１に搭載された端末装置２０が路設装置４０の通信圏内に入ると、端末装置２０は、車両情報を通信手段２４によって路設装置４０に無線で送信する（ステップＳ３３１）。
【０１２１】
端末装置２０によって路設装置４０に送信された車両情報は、路設装置４０の通信手段４４によって無線で受信される。そして、路設装置４０は、通信手段４４によって受信した車両情報と、データ記憶手段４５によって記憶された車両情報とに基づいて認証手段４６によって端末装置２０の認証を試みる。
【０１２２】
認証手段４６によって端末装置２０が認証されると、路設装置４０は、端末装置２０の認証に使用された車両情報に対応付けられてデータ記憶手段４５によって記憶された分割データ３５１を通信手段４４によって無線で端末装置２０に送信する（ステップＳ３３２（データ転送ステップ））。
【０１２３】
路設装置４０によって端末装置２０に送信された分割データ３５１は、端末装置２０の通信手段２４によって無線で受信され、端末装置２０の第１記憶手段２６によって記憶される。
【０１２４】
次いで、車両１１に搭載された端末装置２０が路設装置５２の通信圏内に入ると、端末装置２０は、車両情報を通信手段２４によって路設装置５２に無線で送信し（ステップＳ３３３）、路設装置５２によって端末装置２０が認証されると、路設装置５２は、端末装置２０の認証に使用された車両情報に対応付けられて記憶された分割データ３５２を無線で端末装置２０に送信する（ステップＳ３３４（データ転送ステップ））。
【０１２５】
路設装置５２によって端末装置２０に送信された分割データ３５２は、端末装置２０の通信手段２４によって無線で受信され、端末装置２０の第１記憶手段２６によって記憶される。
【０１２６】
次いで、車両１１に搭載された端末装置２０が路設装置５４の通信圏内に入ると、端末装置２０は、車両情報を通信手段２４によって路設装置５４に無線で送信し（ステップＳ３３５）、路設装置５４によって端末装置２０が認証されると、路設装置５４は、端末装置２０の認証に使用された車両情報に対応付けられて記憶された分割データ３５３を無線で端末装置２０に送信する（ステップＳ３３６（データ転送ステップ））。
【０１２７】
路設装置５４によって端末装置２０に送信された分割データ３５３は、端末装置２０の通信手段２４によって無線で受信され、端末装置２０の第１記憶手段２６によって記憶される。
【０１２８】
そして、端末装置２０は、第１記憶手段２６によって記憶された分割データ３５１、３５２及び３５３に基づいて図１８に示す提供希望データを合成し、合成した提供希望データを第１記憶手段２６によって記憶する。
【０１２９】
以上に説明したように、データ提供システム２１０は、提供希望データをデータ送信装置２９０が複数に分割して複数の路設装置４０、５２及び５４に向けて送信することにより、端末装置２０が移動して、１つの路設装置の通信エリアで受信が終了できないような大きなデータに対しても、複数の路設装置から分割されたデータを受信できるので、大きなサイズの提供希望データであっても信頼度高く利用者に提供することができる。
【０１３０】
また、データ提供システム２１０は、端末装置２０に送信される分割データ３５１、３５２及び３５３を路設装置４０、５２及び５４が記憶するので、所定の時間内に端末装置２０が路設装置４０、５２及び５４から受信することができる分割データのサイズを、路設装置４０、５２又は５４が分割データ３５１、３５２又は３５３を予め記憶しておかない場合と比較して増加させることができ、路設装置４０、５２又は５４が分割データ３５１、３５２又は３５３を予め記憶しておかない場合と比較して大きなサイズの提供希望データを利用者に提供することができる。
【０１３１】
なお、データ送信装置２９０は、本実施の形態において、車両１１が近傍を通過する予定の順番に応じて路設装置４０、５２及び５４に分割データ３５１、３５２及び３５３を送信しているが、車両１１が近傍を通過する予定の順番とは無関係に路設装置４０、５２及び５４に分割データ３５１、３５２及び３５３を送信するようになっていても良い。例えば、データ送信装置２９０は、路設装置５２、４０及び５４という順番で、路設装置４０、５２及び５４に分割データ３５１、３５２及び３５３を送信するようになっていても良い。
【０１３２】
また、データ送信装置２９０は、本実施の形態において、提供希望データから３つの分割データを生成するようになっているが、提供希望データから３つ以外の数の分割データを生成するようになっていても良い。
【０１３３】
なお、データ送信装置２９０は、複数の路設装置４０、５２、５３、５４、５５及び５６の中から端末装置２０によって通知された経路情報に基づいて特定の複数の路設装置を指定する装置指定機能と、提供希望データを分割した分割データを生成する分割データ生成機能と、装置指定機能によって指定された複数の路設装置に向けて分割データを送信するデータ送信機能とを、所定のプログラムによって実現させられるコンピュータであっても良い。
【０１３４】
（第３の実施の形態）
【０１３５】
まず、本発明の第３の形態に係るデータ提供システムの構成について説明する。
【０１３６】
なお、本実施の形態に係るデータ提供システムの構成のうち第２の実施の形態に係るデータ提供システムの構成と同様である構成については、第２の実施の形態に係るデータ提供システムの構成と同一の符号を付して詳細な説明を省略する。
【０１３７】
図１９に示すように、本実施の形態に係るデータ提供システム４１０の構成は、道路１２の近傍に設置された複数の路設装置４４０、４５１、４５２、４５３、４５４、４５５及び４５６と、路設装置４４０、４５１、４５２及び４５３を制御する制御装置４６０と、路設装置４５４、４５５及び４５６を制御する制御装置４７０と、データ送信装置４９０とを、第２の実施の形態に係るデータ提供システム２１０（図１５参照）が、路設装置４０、５１、５２、５３、５４、５５及び５６（図１５参照）と、データ送信装置２９０（図１５参照）とに代えて備えた構成と同様である。
【０１３８】
また、図２０に示すように、路設装置４４０の構成は、路設装置４０（図９参照）がデータ記憶手段４５（図９参照）及び認証手段４６（図９参照）を備えていない構成と同様である。
【０１３９】
また、路設装置４４０は、端末装置２０によって車両情報が送信されると、端末装置２０によって送信された車両情報を通信手段４４によって無線で受信し、受信した車両情報を通信手段４４によって制御装置４６０に送信するようになっている。
【０１４０】
また、路設装置４４０は、制御装置４６０によって分割データが送信されると、データ送信装置４９０によって送信された分割データを通信手段４４によって受信し、受信した分割データを通信手段４４によって無線で端末装置２０に送信するようになっている。即ち、通信手段４４は、通信手段４４によって受信した分割データを端末装置２０に転送するデータ転送手段を構成している。
【０１４１】
なお、路設装置４５１、４５２、４５３、４５４、４５５及び４５６の構成は、路設装置４４０の構成と同様であるので、路設装置４５１、４５２、４５３、４５４、４５５及び４５６の構成についての説明は省略する。
【０１４２】
また、図２１に示すように、制御装置４６０は、ＣＰＵ４６１と、ＣＰＵ４６１によって実行されるプログラムを記憶したＲＯＭ４６２と、ＲＯＭ４６２によって記憶されたプログラムをＣＰＵ４６１が実行する際に生じるデータを記憶するＲＡＭ４６３と、路設装置４４０、４５１、４５２及び４５３（図１９参照）と通信を行うとともにインターネット１３（図１９参照）を介してデータ送信装置４９０（図１９参照）と通信を行う通信手段４６４と、データ送信装置４９０によって送信されたデータを記憶するデータ記憶手段４６５とを有している。
【０１４３】
なお、制御装置４６０は、データ記憶手段４６５をＲＡＭ４６３によって代替するようになっていても良い。
【０１４４】
また、制御装置４６０は、データ送信装置４９０によって分割データ及び車両情報が送信されると、データ送信装置４９０によって送信された分割データ及び車両情報を通信手段４６４によってインターネット１３を介して受信し、受信した分割データ及び車両情報を互いに対応付けてデータ記憶手段４６５によって記憶するようになっている。
【０１４５】
また、制御装置４６０は、端末装置２０によって路設装置４４０、４５１、４５２又は４５３を介して車両情報が送信されると、端末装置２０によって送信された車両情報を通信手段４６４によって受信し、受信した車両情報と、データ記憶手段４６５によって記憶された車両情報とに基づいて認証手段４６６によって端末装置２０の認証を試みるようになっている。
【０１４６】
また、制御装置４６０は、認証手段４６６によって端末装置２０が認証されたとき、端末装置２０の認証に使用された車両情報に対応付けられてデータ記憶手段４６５によって記憶された分割データを通信手段４６４によって端末装置２０に向けて路設装置４４０、４５１、４５２又は４５３に送信するようになっている。
【０１４７】
なお、制御装置４７０の構成は、制御装置４６０の構成と同様であるので、制御装置４７０の構成についての説明は省略する。
【０１４８】
また、図２２に示すように、データ送信装置４９０の構成は、通信手段２９４（図１６参照）に代えてデータ送信装置２９０（図１６参照）が通信手段４９４を備えた構成と同様である。
【０１４９】
ここで、データ送信装置４９０は、分割データ生成手段２９７によって生成された分割データ及び車両情報を、装置指定手段２９６によって指定された路設装置を制御する制御装置に通信手段４９４によってインターネット１３（図１９参照）を介して送信するようになっている。即ち、データ送信装置４９０は、分割データ生成手段２９７によって生成された分割データ及び車両情報を、装置指定手段２９６によって指定された複数の路設装置に向けて通信手段４９４によってインターネット１３を介して送信するようになっている。
【０１５０】
次に、本実施の形態に係るデータ提供システムの動作について説明する。
【０１５１】
図２３に示すように、データ提供システム４１０は、第２の実施の形態に係るデータ提供システム２１０（図１５参照）のステップＳ３２１〜ステップＳ３２７（図１７参照）の動作と同様の動作を行う（ステップＳ５２１〜ステップＳ５２７）。
【０１５２】
アプリケーションサーバ８０によってデータ送信装置４９０に送信された提供希望データ、経路情報及び車両情報は、データ送信装置４９０の通信手段４９４によってネットワーク１４を介して受信される。そして、データ送信装置４９０は、通信手段４９４によって受信した経路情報と、記憶手段９５によって記憶された地図データとに基づいて、車両１１の予定の経路上の路設装置の中から車両１１が近傍を通過する複数の路設装置４４０、４５２及び４５４を装置指定手段２９６によって指定する（装置指定ステップ）。
【０１５３】
次いで、データ送信装置４９０は、図１８に示すように、アプリケーションサーバ８０によって送信された提供希望データを分割データ生成手段２９７によって分割して３つの分割データ３５１、３５２及び３５３を生成する（分割データ生成ステップ）。
【０１５４】
次いで、データ送信装置４９０は、図２３に示すように、分割データ生成手段２９７によって生成された分割データ３５１及び車両情報を、装置指定手段２９６によって指定された路設装置４４０を制御する制御装置４６０に通信手段４９４によってインターネット１３を介して送信するとともに、分割データ生成手段２９７によって生成された分割データ３５２及び車両情報を、装置指定手段２９６によって指定された路設装置４５２を制御する制御装置４６０に通信手段４９４によってインターネット１３を介して送信する（ステップＳ５２８（データ送信ステップ））。
【０１５５】
また、データ送信装置４９０は、分割データ生成手段２９７によって生成された分割データ３５３及び車両情報を、装置指定手段２９６によって指定された路設装置４５４を制御する制御装置４７０に通信手段４９４によってインターネット１３を介して送信する（ステップＳ５２９（データ送信ステップ））。
【０１５６】
データ送信装置４９０によって制御装置４６０に送信された分割データ３５１及び車両情報は、制御装置４６０の通信手段４６４によってインターネット１３を介して受信され、データ記憶手段４６５によって互いに対応付けられて記憶され、データ送信装置４９０によって制御装置４６０に送信された分割データ３５２及び車両情報は、制御装置４６０の通信手段４６４によってインターネット１３を介して受信され、データ記憶手段４６５によって互いに対応付けられて記憶される。同様に、データ送信装置４９０によって制御装置４７０に送信された分割データ３５３及び車両情報は、制御装置４７０に受信されて互いに対応付けられて記憶される。
【０１５７】
そして、車両１１に搭載された端末装置２０が路設装置４４０の通信圏内に入ると、端末装置２０は、車両情報を通信手段２４によって路設装置４４０に無線で送信する（ステップＳ５３０）。
【０１５８】
端末装置２０によって路設装置４４０に送信された車両情報は、路設装置４４０の通信手段４４によって無線で受信され、路設装置４４０の通信手段４４によって制御装置４６０に送信されて（ステップＳ５３１）、制御装置４６０の通信手段４６４によって受信される。そして、制御装置４６０は、通信手段４６４によって受信した車両情報と、データ記憶手段４６５によって記憶された車両情報とに基づいて認証手段４６６によって端末装置２０の認証を試みる。
【０１５９】
認証手段４６６によって端末装置２０が認証されると、制御装置４６０は、端末装置２０の認証に使用された車両情報に対応付けられてデータ記憶手段４６５によって記憶された分割データ３５１を通信手段４６４によって路設装置４４０に送信する（ステップＳ５３２）。
【０１６０】
制御装置４６０によって路設装置４４０に送信された分割データ３５１は、路設装置４４０の通信手段４４によって受信され、路設装置４４０の通信手段４４によって端末装置２０に送信されて（ステップＳ５３３（データ転送ステップ））、端末装置２０の通信手段２４によって無線で受信され、端末装置２０の第１記憶手段２６によって記憶される。
【０１６１】
次いで、車両１１に搭載された端末装置２０が路設装置４５２の通信圏内に入ると、端末装置２０は、車両情報を通信手段２４によって路設装置４５２に無線で送信する（ステップＳ５３４）。
【０１６２】
端末装置２０によって路設装置４５２に送信された車両情報は、路設装置４５２によって無線で受信され、路設装置４５２によって制御装置４６０に送信されて（ステップＳ５３５）、制御装置４６０の通信手段４６４によって受信される。そして、制御装置４６０は、通信手段４６４によって受信した車両情報と、データ記憶手段４６５によって記憶された車両情報とに基づいて認証手段４６６によって端末装置２０の認証を試みる。
【０１６３】
認証手段４６６によって端末装置２０が認証されると、制御装置４６０は、端末装置２０の認証に使用された車両情報に対応付けられてデータ記憶手段４６５によって記憶された分割データ３５２を通信手段４６４によって路設装置４５２に送信する（ステップＳ５３６）。
【０１６４】
制御装置４６０によって路設装置４５２に送信された分割データ３５２は、路設装置４５２によって受信され、路設装置４５２によって端末装置２０に送信されて（ステップＳ５３７（データ転送ステップ））、端末装置２０の通信手段２４によって無線で受信され、端末装置２０の第１記憶手段２６によって記憶される。
【０１６５】
次いで、車両１１に搭載された端末装置２０が路設装置４５４の通信圏内に入ると、端末装置２０は、車両情報を通信手段２４によって路設装置４５４に無線で送信する（ステップＳ５３８）。
【０１６６】
端末装置２０によって路設装置４５４に送信された車両情報は、路設装置４５４によって無線で受信され、路設装置４５４によって制御装置４７０に送信されて（ステップＳ５３９）、制御装置４７０によって受信される。そして、制御装置４７０は、受信した車両情報に基づいて端末装置２０の認証を試みる。
【０１６７】
端末装置２０が認証されると、制御装置４７０は、端末装置２０の認証に使用された車両情報に対応付けられて記憶された分割データ３５３を路設装置４５４に送信する（ステップＳ５４０）。
【０１６８】
制御装置４７０によって路設装置４５４に送信された分割データ３５３は、路設装置４５４によって受信され、路設装置４５４によって端末装置２０に送信されて（ステップＳ５４１（データ転送ステップ））、端末装置２０の通信手段２４によって無線で受信され、端末装置２０の第１記憶手段２６によって記憶される。
【０１６９】
そして、端末装置２０は、第１記憶手段２６によって記憶された分割データ３５１、３５２及び３５３に基づいて図１８に示す提供希望データを合成し、合成した提供希望データを第１記憶手段２６によって記憶する。
【０１７０】
以上に説明したように、データ提供システム４１０は、提供希望データをデータ送信装置４９０が複数に分割して複数の路設装置４４０、４５２及び４５４に向けて送信することにより、予定の経路上にある路設装置４４０、４５２及び４５４から順次分割されたデータを端末装置２０が受信することができるので、大きなサイズの提供希望データであっても信頼度高く利用者に提供することができる。
【０１７１】
【発明の効果】
以上に説明したように、本発明によれば、大きなサイズのデータであっても信頼度高く利用者に提供することができるデータ提供システムを提供することができる。
【図面の簡単な説明】
【図１】本発明の第１の実施の形態に係るデータ提供システムの構成図
【図２】図１に示すデータ提供システムの端末装置のブロック図
【図３】図２に示す端末装置の外観斜視図
【図４】図１に示すデータ提供システムにおいて使用される特定用情報を示す図
【図５】（ａ）図２に示す端末装置による経路情報の生成において使用される地図を示す図
（ｂ）図５（ａ）に示す地図上のリンクの識別番号を示す図
【図６】図１に示すデータ提供システムにおいて使用される経路情報を示す図
【図７】（ａ）図１に示すデータ提供システムにおいて使用されるサーバ要求用情報を示す図
（ｂ）図１に示すデータ提供システムにおいて使用される車両情報を示す図
【図８】図１に示すデータ提供システムにおいて端末装置が路設装置の通信圏内に入った状態を示す図
【図９】図１に示すデータ提供システムの路設装置のブロック図
【図１０】図１に示すデータ提供システムのデータ記憶装置のブロック図
【図１１】図１に示すデータ提供システムのアプリケーションサーバのブロック図
【図１２】図１に示すデータ提供システムのデータ送信装置のブロック図
【図１３】図１に示すデータ提供システムの動作のシーケンス図
【図１４】図１に示す例とは異なる例での本発明の第１の実施の形態に係るデータ提供システムの構成図
【図１５】本発明の第２の実施の形態に係るデータ提供システムの構成図
【図１６】図１５に示すデータ提供システムのデータ送信装置のブロック図
【図１７】図１５に示すデータ提供システムの動作のシーケンス図
【図１８】図１５に示すデータ提供システムにおいて使用される提供希望データ及び分割データの関係を示す図
【図１９】本発明の第３の実施の形態に係るデータ提供システムの構成図
【図２０】図１９に示すデータ提供システムの路設装置のブロック図
【図２１】図１９に示すデータ提供システムの制御装置のブロック図
【図２２】図１９に示すデータ提供システムのデータ送信装置のブロック図
【図２３】図１９に示すデータ提供システムの動作のシーケンス図
【図２４】従来のデータ提供システムのブロック図
【符号の説明】
１０  データ提供システム
１２  道路
２０  端末装置
２４  通信手段（経路情報通知手段）
４０、５１、５２、５３、５４、５５、５６  路設装置
４４  通信手段（データ転送手段）
４５  データ記憶手段
９０  データ送信装置
９４  通信手段（データ送信手段）
９６  装置指定手段
２１０  データ提供システム
２９０  データ送信装置
２９４  通信手段（データ送信手段）
２９６  装置指定手段
２９７  分割データ生成手段
３５１、３５２、３５３  分割データ
４１０  データ提供システム
４４０、４５１、４５２、４５３、４５４、４５５、４５６  路設装置
４９０  データ送信装置
４９４  通信手段（データ送信手段）
【図１】
2004289267.tif 000003
【図２】
2004289267.tif 000004
【図３】
2004289267.tif 000005
【図４】
2004289267.tif 000006
【図５】
2004289267.tif 000007
【図６】
2004289267.tif 000008
【図７】
2004289267.tif 000009
【図８】
2004289267.tif 000010
【図９】
2004289267.tif 000011
【図１０】
2004289267.tif 000012
【図１１】
2004289267.tif 000013
【図１２】
2004289267.tif 000014
【図１３】
2004289267.tif 000015
【図１４】
2004289267.tif 000016
【図１５】
2004289267.tif 000017
【図１６】
2004289267.tif 000018
【図１７】
2004289267.tif 000019
【図１８】
2004289267.tif 000020
【図１９】
2004289267.tif 000021
【図２０】
2004289267.tif 000022
【図２１】
2004289267.tif 000023
【図２２】
2004289267.tif 000024
【図２３】
2004289267.tif 000025
【図２４】
2004289267.tif 000026